【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
装置によって、ビーム形成された無線信号を基地局から受信するステップと、
前記装置によって、前記ビーム形成された無線信号を受信した後に、前記ビーム形成された無線信号の周波数変換を実行して周波数変換信号を形成するステップと、
前記装置によって、前記周波数変換を実行した後に、前記周波数変換信号に関連するセルのセル識別子を決定するステップと、
前記装置によって、前記セル識別子を決定した後に、
前記周波数変換信号を解析すること、
前記周波数変換信号に関連するチャネルを走査すること、または
前記周波数変換信号に関連するマップを生成すること、
のうちの少なくとも１つに関係する処理を実行するステップと、
前記装置によって、前記周波数変換を実行した後に、前記周波数変換信号のビーム・プロファイルを測定するステップと、
前記装置によって、前記処理を実行した後に、前記ビーム・プロファイルに基づいて、
前記周波数変換信号を解析すること、
前記チャネルを走査すること、または
前記マップを生成すること、
のうちの少なくとも１つに関係する出力を生成するステップと
を含む方法。
【請求項２】
前記周波数変換を実行した後に、前記周波数変換信号の一次同期を決定するステップをさらに含み、
前記処理を実行するステップが、
前記周波数変換信号の前記一次同期を決定した後に、前記処理を実行することを含む、請求項１に記載の方法。
【請求項３】
前記周波数変換信号を解析することに関係する処理を実行するステップが、
前記周波数変換信号のビームインデックス、
前記周波数変換信号のビーム電力、または
前記周波数変換信号の信号対雑音比（ＳＮＲ）、
のうちの少なくとも１つを測定することを含み、
前記周波数変換信号を解析することに関係する出力を生成するステップが、
前記ビームインデックス、
前記ビーム電力、または
前記ＳＮＲ、
のうちの少なくとも１つを測定した後に、前記周波数変換信号を解析することに関係する出力を生成することを含む、請求項１に記載の方法。
【請求項４】
前記ビームインデックス、
前記ビーム電力、または
前記ＳＮＲ、
のうちの少なくとも１つを測定した後に、前記周波数変換信号に関連する高レベルのメッセージを復号化するステップをさらに含む、請求項３に記載の方法。
【請求項５】
前記チャネルを走査することに関係する処理を実行するステップが、
前記高レベルのメッセージを復号化した後に、前記周波数変換信号のチャネル電力及びビーム品質を測定することを含み、
前記チャネルを走査することに関係する出力を生成するステップが、
前記チャネル電力及び前記ビーム品質を測定した後に、前記チャネルを走査することに関係する出力を生成することを含む、請求項４に記載の方法。
【請求項６】
前記マップを生成することに関係する処理を実行するステップが、
前記ビーム・プロファイルを測定した後に、前記基地局の無線パターンまたはビームパターンの推定を実行することとを含み、
前記マップを生成することに関係する出力を生成するステップが、
前記ビーム・プロファイルに基づいて、あるいは前記無線パターンまたは前記ビームパターンの少なくとも一方に基づいて、前記マップを生成することに関係する出力を生成することを含む、請求項１に記載の方法。
【請求項７】
１つ以上のメモリと、
前記１つ以上のメモリに通信結合された１つ以上のプロセッサとを具えた装置であって、
前記１つ以上のプロセッサが：
ビーム形成された無線信号を基地局から受信し、
前記ビーム形成された無線信号を受信した後に、前記ビーム形成された無線信号の周波数変換を実行して周波数変換信号を形成し、
前記周波数変換を実行した後に、前記周波数変換信号の一次同期を決定し、
前記周波数変換を実行した後に、かつ前記一次同期を決定した後に、前記周波数変換信号に関連するセルのセル識別子を決定し、
前記セル識別子を決定した後に、前記周波数変換信号を解析することに関係する、前記周波数変換信号の第１処理を実行し、
前記周波数変換信号に関連するチャネルを走査することに関係する、前記周波数変換信号の第２処理を実行し、
前記第２処理を実行した後に、前記周波数変換信号に関連するマップを生成することに関係する第３処理を実行し、
前記周波数変換を実行した後に、前記周波数変換信号のビーム・プロファイルを測定し、
前記ビーム・プロファイルに基づいて、前記第１処理を実行した後に当該第１処理に関係する出力を生成し、または前記第２処理を実行した後に当該第２処理に関係する出力を生成し、あるいは前記第３処理を実行した後に当該第３処理に関係する出力を生成する
ように構成されている装置。
【請求項８】
前記１つ以上のプロセッサは、前記ビーム形成された無線信号を受信する際に、
前記ビーム形成された無線信号を、前記装置に関連する無指向性アンテナを介して受信するように構成されている、請求項７に記載の装置。
【請求項９】
前記１つ以上のプロセッサは、前記周波数変換を実行する際に、
前記装置に関連する周波数変換器を用いて前記周波数変換を実行するように構成されている、請求項７に記載の装置。
【請求項１０】
前記１つ以上のプロセッサは、前記第１処理、前記第２処理、または前記第３処理を実行する際に、
前記装置に関連するフィールド・プログラマブル・ゲートアレイ（ＦＰＧＡ）または前記装置に関連するマイクロプロセッサを用いて、前記第１処理、前記第２処理、または前記第３処理を実行するように構成されている、請求項７に記載の装置。
【請求項１１】
前記１つ以上のプロセッサは、前記第１処理に関係する出力を生成する際に、
前記周波数変換信号に関連するビームインデックス、
前記周波数変換信号のビーム電力、または
前記周波数変換信号の信号対雑音比（ＳＮＲ）、
のうちの少なくとも１つに基づく出力を生成するように構成されている、請求項７に記載の装置。
【請求項１２】
前記１つ以上のプロセッサは、前記第２処理に関係する出力を生成する際に、
前記周波数変換信号のビーム品質に基づいて、前記第２処理に関係する出力を生成するように構成されている、請求項８に記載の装置。
【請求項１３】
前記１つ以上のプロセッサは、前記第３処理に関係する出力を生成する際に、
前記ビーム・プロファイル、
推定した前記基地局の無線パターン、または
推定した前記基地局のビームパターン、
のうちの少なくとも１つに基づいて、前記第３処理に関係する出力を生成するように構成されている、請求項７に記載の装置。
【請求項１４】
命令を記憶する非一時的なコンピュータ可読媒体であって、該命令は、１つ以上のプロセッサによって実行されると、該１つ以上のプロセッサに、
ビーム形成された無線信号を基地局から受信させ、
前記ビーム形成された無線信号を受信した後に、前記ビーム形成された無線信号の周波数変換を実行させて周波数変換信号を形成させ、
前記周波数変換を実行した後に、前記周波数変換信号の一次同期を決定させ、
前記周波数変換を実行した後に、かつ前記一次同期を決定した後に、前記周波数変換信号に関連するセルのセル識別子を決定させ、
前記セル識別子を決定した後に、
前記周波数変換信号を解析すること、
前記周波数変換信号に関連するチャネルを走査すること、または
前記周波数変換信号に関連するマップを生成すること、
のうちの少なくとも１つに関係する処理を実行させ、
前記周波数変換を実行した後に、前記周波数変換信号のビーム・プロファイルを測定させ、
前記処理を実行した後に、前記ビーム・プロファイルに基づいて：
前記周波数変換信号を解析すること、
前記チャネルを走査すること、または
前記マップを生成すること、
のうちの少なくとも１つに関係する出力を生成させる
ための１つ以上の命令を含む、非一時的なコンピュータ可読媒体。
【請求項１５】
前記１つ以上の命令は、前記１つ以上のプロセッサによって実行されると、該１つ以上のプロセッサに、
前記周波数変換を実行した後に、前記ビーム形成された無線信号のスペクトル分析をさらに実行させ、
前記１つ以上のプロセッサに前記一次同期を決定させるための前記１つ以上の命令は、前記１つ以上のプロセッサに、
前記スペクトル分析を実行した後に、前記一次同期を決定させる、請求項１４に記載の非一時的なコンピュータ可読媒体。
【請求項１６】
前記１つ以上のプロセッサに前記周波数変換を実行させるための前記１つ以上の命令は、前記１つ以上のプロセッサに、
第１周波数領域から第２周波数領域への周波数変換を実行させ、
前記第２周波数領域は、前記第１周波数領域に比べてより低周波数の領域である、請求項１４に記載の非一時的なコンピュータ可読媒体。
【請求項１７】
前記１つ以上の命令は、前記１つ以上のプロセッサによって実行されると、前記１つ以上のプロセッサに、
前記周波数変換を実行した後に、前記周波数変換信号のアナログ−デジタル変換をさらに実行させる、  請求項１４に記載の非一時的なコンピュータ可読媒体。
【請求項１８】
前記１つ以上の命令は、前記１つ以上のプロセッサによって実行されると、前記１つ以上のプロセッサに、さらに、
前記処理を実行する前に、前記周波数変換信号に関連する情報をメモリリソースに記憶させる、請求項１４に記載の非一時的なコンピュータ可読媒体。
【請求項１９】
前記１つ以上のプロセッサに前記処理を実行させるための前記１つ以上の命令は、前記１つ以上のプロセッサに、
前記情報を前記メモリリソースに記憶した後に、前記情報を用いて前記処理を実行させる、請求項１８に記載の非一時的なコンピュータ可読媒体。
【請求項２０】
前記周波数変換を実行するステップが、前記ビーム形成された無線信号の位相または振幅の少なくとも一方を維持しつつ、前記ビーム形成された無線信号の周波数を変化させることを含む、請求項１に記載の方法。